(57)【要約】【課題】超広角レンズや超広角ズームレンズに装着しストロボ撮影を行っても撮影画像に支障のないレンズフード、及びこのレンズフードを備えたカメラシステムを提供する。【解決手段】撮影用発光部２０を備えたカメラ１の鏡筒４に取り付けるための取付部１０５と、取付部１０５から鏡筒４とは反対の方向へ延在した第１の遮光部１０１,１０２，１０３と、取付部１０５から鏡筒４とは反対の方向へ延在し、撮影用発光部２０からの光を通過させ、かつ鏡筒４に不要な光が入ることを防ぐ第２の遮光部１１０とを有し、第２の遮光部１１０は、撮影用発光部２０側に配置可能であることを特徴とする。【選択図】図１
2007163675.tif 000002
【特許請求の範囲】
【請求項１】
撮影用発光部を備えたカメラの鏡筒に取り付けるための取付部と、
前記取付部から前記鏡筒とは反対の方向へ延在した第１の遮光部と、
前記取付部から前記鏡筒とは反対の方向へ延在し、前記撮影用発光部からの光を通過させ、かつ前記鏡筒に不要な光が入ることを防ぐ第２の遮光部とを有し、
前記第２の遮光部は、前記撮影用発光部側に配置可能であることを特徴とするレンズフード。
【請求項２】
前記第２の遮光部は、前記鏡筒に不要な光が入ることを防ぐための前記撮影用発光部に向かって延びた薄板部を有し、当該薄板部近傍には前記撮影用発光部からの光を通過させるための開口部が形成されていることを特徴とする請求項１に記載のレンズフード。
【請求項３】
前記薄板部は、前記撮影用発光部からの光線に沿うように設けられていることを特徴とする請求項２に記載のレンズフード。
【請求項４】
前記薄板部は、前記撮影用発光部に向かって延びた短冊形状の複数の薄板部であり、
前記開口部は、当該複数の薄板部どうしの間に形成されたスリット形状の開口部であることを特徴とする請求項２又は請求項３に記載のレンズフード。
【請求項５】
前記第１の遮光部は３つ備えられており、
前記第１の遮光部の１つと前記第２の遮光部とは、前記カメラの撮影光軸を挟んで対向して配置されており、
残り２つの前記第１の遮光部どうしも、前記カメラの撮影光軸を挟んで対向して配置されていることを特徴とする請求項１から請求項４のいずれか１項に記載のレンズフード。
【請求項６】
前記カメラの撮影光軸を挟んで前記第２の遮光部と対向して配置されている前記第１の遮光部は、先端部分が内側へ折れ曲がった形状であることを特徴とする請求項５に記載のレンズフード。
【請求項７】
前記取付部は、前記第２の遮光部を前記撮影用発光部側に配置するために、当該レンズフードの前記鏡筒に対する周方向位置を位置決めすることを特徴とする請求項１から請求項６のいずれか１項に記載のレンズフード。
【請求項８】
撮像手段を備えたカメラ本体部と、
前記撮像手段に対して被写体の像を結ぶ撮影光学系を備えた鏡筒部と、
前記被写体に対して撮影補助光を照射する撮影用発光部と、
前記鏡筒部の被写体側に取り付けられたレンズフードと、を備えたカメラシステムにおいて、
前記レンズフードは、前記被写体側へ延在した第１の遮光部と、前記被写体側へ延在し前記撮影用発光部からの光を通過させかつ前記鏡筒に不要な光が入ることを防ぐ第２の遮光部とを有し、前記第２の遮光部が前記撮影用発光部側に位置することを特徴とするカメラシステム。
【発明の詳細な説明】
【技術分野】
【０００１】
本発明は、撮影レンズに装着されるレンズフード、及びこのレンズフードを備えたカメラシステムに関する。
【背景技術】
【０００２】
従来、カメラの撮影レンズに画角外の有害な光線が入射することを防ぐため、撮影レンズの先端に装着される種々のレンズフードが知られている。例えば、望遠レンズには円筒型のレンズフードがよく用いられ、標準レンズや広角レンズには円錐型や角型のレンズフードが用いられる。また、超広角レンズに用いられるレンズフードとしては、撮影画像の各辺に対応した遮光壁部分のみを先端方向、即ち被写体側へ突出させたレンズフードが知られている（例えば、特許文献１を参照。）。このタイプのレンズフードは、先端方向へ突出した遮光壁部分の形状が花弁に似ていることから花弁型レンズフードやチューリップ型レンズフードと呼ばれている。
【特許文献１】特開平11-295780号公報
【発明の開示】
【発明が解決しようとする課題】
【０００３】
しかしながら、超広角レンズによる撮影においてストロボを使用する場合、特にカメラ本体に装備された内蔵ストロボを使用する場合には、レンズに花弁型レンズフードを装備したままでは花弁形状の遮光壁部分によってストロボ光の一部が遮られてしまう、いわゆるストロボ光にケラレが発生してしまう。このため、撮影画像の一部に黒い影ができてしまうという不具合があった。
【０００４】
また、斯かる不具合は超広角領域を含むズームレンズ（以下、「超広角ズームレンズ」という。）でも同様に発生する。このため、超広角ズームレンズによる撮影において内蔵ストロボを使用する際には、常に焦点距離を考慮し、ストロボ光にケラレが発生するおそれがある場合にはレンズフードをレンズから取り外すという煩わしい作業が必要であった。
【０００５】
そこで本発明は上記問題点に鑑みてなされたものであり、超広角レンズや超広角ズームレンズに装着してストロボ撮影を行っても撮影画像に支障のないレンズフード、及びこのレンズフードを備えたカメラシステムを提供する。
【課題を解決するための手段】
【０００６】
上記課題を解決するために請求項１では、
撮影用発光部を備えたカメラの鏡筒に取り付けるための取付部と、
前記取付部から前記鏡筒とは反対の方向へ延在した第１の遮光部と、
前記取付部から前記鏡筒とは反対の方向へ延在し、前記撮影用発光部からの光を通過させ、かつ前記鏡筒に不要な光が入ることを防ぐ第２の遮光部とを有し、
前記第２の遮光部は、前記撮影用発光部側に配置可能であることを特徴とするレンズフードを提供する。
【０００７】
請求項２のレンズフードは、
前記第２の遮光部は、前記鏡筒に不要な光が入ることを防ぐための前記撮影用発光部に向かって延びた薄板部を有し、当該薄板部近傍には前記撮影用発光部からの光を通過させるための開口部が形成されていることが望ましい。
【０００８】
請求項３のレンズフードは、
前記薄板部は、前記撮影用発光部からの光線に沿うように設けられていることが望ましい。
請求項４のレンズフードは、
前記薄板部は、前記撮影用発光部に向かって延びた短冊形状の複数の薄板部であり、
前記開口部は、当該複数の薄板部どうしの間に形成されたスリット形状の開口部であることが望ましい。
【０００９】
請求項５のレンズフードは、
前記第１の遮光部は３つ備えられており、
前記第１の遮光部の１つと前記第２の遮光部とは、前記カメラの撮影光軸を挟んで対向して配置されており、
残り２つの前記第１の遮光部どうしも、前記カメラの撮影光軸を挟んで対向して配置されていることが望ましい。
【００１０】
請求項６のレンズフードは、
前記カメラの撮影光軸を挟んで前記第２の遮光部と対向して配置されている前記第１の遮光部は、先端部分が内側へ折れ曲がった形状であることが望ましい。
【００１１】
請求項７のレンズフードは、
前記取付部は、前記第２の遮光部を前記撮影用発光部側に配置するために、当該レンズフードの前記鏡筒に対する周方向位置を位置決めすることが望ましい。
【００１２】
請求項８では、
撮像手段を備えたカメラ本体部と、
前記撮像手段に対して被写体の像を結ぶ撮影光学系を備えた鏡筒部と、
前記被写体に対して撮影補助光を照射する撮影用発光部と、
前記鏡筒部の被写体側に取り付けられたレンズフードと、を備えたカメラシステムにおいて、
前記レンズフードは、前記被写体側へ延在した第１の遮光部と、前記被写体側へ延在し前記撮影用発光部からの光を通過させかつ前記鏡筒に不要な光が入ることを防ぐ第２の遮光部とを有し、前記第２の遮光部が前記撮影用発光部側に位置することを特徴とするカメラシステムを提供する。
【発明の効果】
【００１３】
本発明によれば、良好なストロボ撮影可能なレンズフード、及びこのレンズフードを備えたカメラシステムを提供することができる。
【発明を実施するための最良の形態】
【００１４】
（第１実施形態）
以下、本発明の第１実施形態に係るレンズフードを備えた一眼レフカメラシステムを添付図面に基づいて説明する。
図１は、本発明の第１実施形態に係るレンズフードを備えた一眼レフカメラシステムを示す断面図である（後述のストロボ２０は使用状態である）。
図１に示すように、本実施形態の一眼レフカメラシステム１は、カメラ本体２と、交換レンズ３と、レンズフード１００とから構成されている。
【００１５】
交換レンズ３は、撮影レンズを収納した円筒形状の固定筒部４からなり、焦点距離１８ｍｍ〜１２０ｍｍの範囲で変倍可能な超広角ズームレンズである。
固定筒部４におけるカメラ本体２側の端部にはマウント部５が形成されており、交換レンズ３はカメラ本体２に対してバヨネット方式で取り外し自在に取り付けられている。また、固定筒部４における反対側端部、即ち不図示の被写体側の端部外周にはレンズフード１００を装着するためのフード受け部６が形成されている。さらに固定筒部４の外周には、ズーム操作を行うためのズーム操作環７が設けられている。なお、フード受け部６の構成については後述する。
【００１６】
撮影レンズは、不図示の被写体側から順に、第１レンズ群Ｌ１と、ズーム操作環７のズーム操作によって光軸ＡＸ方向へ移動する第２レンズ群Ｌ２と、第３レンズ群Ｌ３と、第４レンズ群Ｌ４とからなり、それぞれのレンズ群は固定筒部４に支持されている。また第２レンズ群Ｌ２は、不図示の合焦操作環の操作や不図示の超音波モータの駆動によって光軸ＡＸ方向へ移動することで合焦動作を行うことができる。
【００１７】
カメラ本体２は、カメラボディ１０内に、ファインダー１１と、被写体像を電気信号に変換するＣＣＤからなる撮像部１２と、撮影時の露光条件を決定するために光量を測定する測光部１３と、ＣＰＵ１４と、電源電池を収納した電池室１５と、撮影実行の指示を与える不図示のレリーズスイッチとを備えてなる。またカメラボディ１０には、交換レンズ３を装着するための開口部１６が形成されている。さらに、カメラ本体２上部、詳しくは前記開口部１６の略真上位置には、レリーズ動作と露光条件からＣＰＵ１４が必要と判断したときに自動的に発光準備状態となるストロボ２０を有している。
【００１８】
ここで一般に、ストロボを発光させて撮影を行う即ちストロボ撮影時には、ストロボの発光部と光軸とが近い場合、目の網膜中で血液が多く流れている脈絡膜層にストロボの光が反射し、被写体像の目が赤く写ってしまう、いわゆる赤目現象が起きやすくなる。このため、ストロボの発光部は光軸からなるべく離す必要がある。
【００１９】
本実施形態におけるストロボ２０は、不使用時はカメラボディ１０の上部に収納されており、使用時にはカメラボディ１０の上後部にある不図示の回転軸周りに回動することで図１に示す使用状態となるオートポップアップストロボである。この構成により、ストロボ２０使用時にはその発光部２１が光軸ＡＸと離れ、赤目現象の発生を低減させることができる。なお、本実施形態におけるストロボ２０は、交換レンズ３として焦点距離１８ｍｍの撮影レンズを用いた場合の撮影範囲を照射する能力を有している。
【００２０】
以下、本実施形態におけるレンズフード１００について説明する。
はじめに、本実施形態に係るレンズフード１００の基本的な機能について説明する。
撮影レンズは、円形のレンズで構成されているため、結像面において撮影画像は撮影レンズの光軸ＡＸと交差する点を中心に同心円上では同等な像が得られる。即ち、結像面の中央付近では歪みも小さく鮮明な像を得られるが、中心からある程度離れる（像高が高くなる）と、次第に像は暗くなり歪み等も大きくなる。このため、所定の規格を設けて撮影画像として適した範囲（以下、「イメージサークル」という。）が決められている。
【００２１】
一方、撮像部１２における撮像面は、横２３．７ｍｍ×縦１５．６ｍｍの長方形である。このため、通常は撮像部１２の対角線長さとイメージサークルの直径とが等しい、又は撮像部１２の対角線長さよりもイメージサークルの直径が長くなるように設定されている。
【００２２】
ここで、撮像部１２の四隅がイメージサークルにちょうど収まる場合、即ち撮像部１２の対角線長さとイメージサークルの直径とが同じ場合を考える。イメージサークル内では全領域で結像しているものの、撮像部１２の撮像面は上述のように長方形であるため、この長方形よりも外側に結ばれた像は、撮影画像に寄与しない。そしてこの撮影画像に寄与しない像を形成する光束（以下、「不要光束」という。）は、不要であるばかりでなく内部散乱等によって撮影画像に悪影響をもたらすことがある。したがってレンズフード１００の働きは、斯かる不要光束を遮光することで、撮影画像に対して悪影響を及ぼすことを低減することにある。
【００２３】
次に、本実施形態に係るレンズフード１００の構成について説明する。
図２（ａ），（ｂ）、及び図３はそれぞれ、本発明の第１実施形態に係るレンズフードの構成を示す断面図、正面図、及び外観図である。
図２及び図３に示すように本実施形態に係るレンズフード１００は、被写体側へ向かって径が広がる形状の環状部材１０６に、不要光束を遮光するために被写体側へ延在した花弁形状の３つの遮光部１０１，１０２，１０３と、同じく不要光束を遮光するために被写体側へ延在しその先端部分に後述する変形部１１１を備えた変形遮光部１１０とを一体的に備えて構成されている。
【００２４】
遮光部１０１と遮光部１０３とは、被写体方向への長さが同じであって、かつ図２（ｂ）に示すように左右に対向するように、本レンズフード１００を交換レンズ３に装着した際に該レンズ３の光軸ＡＸを挟んで対向するように配置されている。
また遮光部１０２と変形遮光部１１０とは、被写体方向への長さが同じで、さらにその長さは遮光部１０１，１０３よりも長く、かつ図２（ｂ）に示すように上下に対向するように、交換レンズ３の光軸ＡＸを挟んで対向するように配置されている。
【００２５】
また環状部材１０６における被写体と反対側の端部内周には、被写体側から見て上記変形遮光部１１０が交換レンズ３の真上、即ちカメラ本体２におけるストロボ２０の真下に位置するように、本レンズフード１００を交換レンズ３のフード受け部６に取り付けるための取付部１０５が設けられている。
【００２６】
ここで本実施形態において、交換レンズ３のフード受け部６は、固定筒部４の被写体側端部外周に形成された、周方向へ延びる不図示の案内溝からなり、フード１００の取付部１０５は、環状部材１０６端部内周において周方向へ延び、前記案内溝と嵌まり合って固定筒部４に対するレンズフード１００の周方向位置を位置決めする不図示の凸条からなる。なお、取付部１０５とフード受け部６の構成はこれに限られず、変形遮光部１１０をストロボ２０の真下に配置するように、固定筒部４に対するレンズフード１００の周方向位置を位置決めできるような公知の構成としてもよい。
【００２７】
なお、上述のストロボ２０と開口部１６との位置関係、及び前述したフード１００の位置決めの構成により、レンズフード１００を装着した交換レンズ３をカメラ本体２に取り付けた際には、カメラ本体２を正面から見てストロボ２０の発光部２１、変形遮光部１１０、及び交換レンズ３の光軸ＡＸは上下方向に一直線上に位置することとなる。
【００２８】
次に、変形遮光部１１０の構成について説明する。
図１における光線ＬＥは、焦点距離１８ｍｍの撮像に必要な光束の最外周光線を示しており、該光線ＬＥよりも外側から交換レンズ３へ入射する光は不要光束となる。本実施形態に係るレンズフード１００は、図１に示すように遮光部１０１，１０２，１０３及び変形遮光部１１０によって不要光束を遮光している。なお、図１における光線ＦＥは、焦点距離１８ｍｍの撮影範囲をカバーするストロボ光の最外周光線を示している。
【００２９】
ここで一般に、花弁形状の４つの遮光部を備えた従来の花弁型レンズフードは、ストロボ側の遮光部も、当該ストロボ側の遮光部が対向する遮光部（本実施形態における遮光部１０２）と同様の形状をしており、被写体側にせり出た構成である。一方、超広角レンズを用いて撮影を行う場合には、大きな画角に対応する撮影範囲全体にわたってストロボ光を供給する必要があるため、ストロボ光の照射範囲を広くする必要がある。このため、被写体側にせり出た当該ストロボ側の遮光部は、ストロボ光の照射範囲内へ入り込んでしまう。したがって、ストロボ撮影に必要な光線ＦＥ及び当該ストロボ側の遮光部に入射する光束はこの遮光部によって遮光され、これにより撮影範囲の一部を照明することができなくなってしまう。
【００３０】
そこで本レンズフード１００における変形遮光部１１０は、ストロボ光を被写体側へ通過させ、かつ交換レンズ３の固定筒部４内へ不要光束が入ることを防ぐために、当該変形遮光部１１０の先端部分に変形部１１１を備えている。本実施形態において変形部１１１は、図１〜図３に示すようにストロボ２０側へ傾斜した短冊形状の３つの薄板部１１１ａからなり、当該薄板部１１１ａどうしの間にはそれぞれスリット形状の開口部１１１ｂが形成されている。また詳細には、各薄板部１１１ａは図１中の光線ＦＥに対して平行となるようにストロボ２０側へ傾斜して設けられている。
【００３１】
この構成により、不要光束は傾斜した各薄板部１１１ａによって遮光されるため、不要光束の固定筒部４内への侵入を防ぐことができる。また、ストロボ光は傾斜した各薄板部１１１ａの間を通過しさらに開口部１１１ｂを通過するため、ストロボ光が変形遮光部１１０によって遮光されることを防ぐことができる。
【００３２】
なお、斯かる構成の変形部１１１は、被写体側へせり出た変形遮光部１１０におけるストロボ光の照射範囲内へ入り込んだ先端部分、即ち光線ＦＥよりも内側へ入り込んだ先端部分全体にわたって設けられている。したがって、不要光束のみを過不足なく適切に遮光し、かつストロボ撮影に必要なストロボ光のケラレを良好に防ぐことができる。
【００３３】
また、遮光部１１１における薄板部１１１ａの枚数や傾斜角度、開口部１１１ｂの大きさや形状等は、交換レンズ３の焦点距離、ストロボ２０の発光部２１の位置、ストロボ光の放射角等に基づいて、ストロボ光のケラレを良好に防止し不要光束を適切に遮光するように設計されている。
【００３４】
以上より本実施形態に係るレンズフード１００は、超広角の交換レンズを用いたストロボ撮影においても、ストロボ光を遮ることなく、かつ不要光束を適切に遮光することができるため、交換レンズから取り外さずにそのまま撮影を行うことができる。
また、本実施形態に係るレンズフードを備えた一眼レフカメラシステム１は、レンズフードを装着したままで焦点距離に関わりなくストロボ撮影を行うことができる。このため、ストロボ撮影時にレンズフード１００を取り外す煩わしさを解消することができる。そして、従来のように不意にレンズフードを装着したままでストロボ撮影を行った際に起こっていた、撮影画像の一部が暗くなってしまうという撮影の失敗を解消することができる。
【００３５】
なお、本実施形態では、交換レンズ３として超広角ズームレンズを備えているが、本レンズフード１００はズーム機能を有しない超広角レンズに対しても勿論有用である。
また、本実施形態において、変形遮光部１１０における変形部１１１の構成は上述のとおりであるが本発明はこれに限られるものでなく、薄板部１１１ａの枚数や傾斜角度、及び開口部１１１ｂの大きさや形状等は、カメラ本体や交換レンズに合わせて適宜設計変更したレンズフードを構成すれば、本発明の効果を最大限に発揮することが可能である。なおこのことは、以下に述べる実施形態においても同様である。
【００３６】
（第２実施形態）
以下、本発明の第２実施形態に係るレンズフード２００を備えた一眼レフカメラシステムを添付図面に基づいて説明する。
本実施形態の一眼レフカメラシステムは、カメラ本体と、交換レンズと、後述するレンズフード２００とから構成されており、カメラ本体及び交換レンズの構成は上記第１実施形態と同様であるため図面及びその説明を省略する。また、本実施形態に係るレンズフード２００については、上記第１実施形態に係るレンズフード１００と同様の構成である部分には同じ符号を付して説明を省略し、特徴的な部分について詳細に説明する。なお、これらのことは後述の第３実施形態についても同様である。
【００３７】
図４（ａ），（ｂ）はそれぞれ、本発明の第２実施形態に係るレンズフードの構成を示す断面図，正面図である。
図４に示すように、本実施形態に係るレンズフード２００は、上記第１実施形態における遮光部１０２にかえて、先端部分が光軸ＡＸに対して略垂直となるように内側へ折り曲がった形状の折り曲げ遮光部１１２を備えた構成である。そしてこの折り曲げ遮光部１１２の先端部分１１２ａは、光線ＬＥを遮光する僅かに手前まで延在するように長さを調整して設けられている。これにより、被写体からの撮影に必要な光束を遮光することなく、不要光束のみを過不足なく適切に遮光することができる。
【００３８】
ここで、通常、従来の花弁型レンズフードを撮影に用いる場合には、カメラ本体の下側に配置される遮光部は光軸方向への長さが大きいためにカメラボディの底面よりも下方にせり出してしまう。このため、従来の花弁型レンズフードを装着したカメラを机上等に置く際にはとても不安定となってしまう。
【００３９】
これに対し本実施形態に係るレンズフード２００では、上述の構成によってカメラ本体２の下側に配置される遮光部即ち折り曲げ遮光部１１２の光軸方向への長さを短縮化しているため、当該遮光部１１２がカメラボディ１０の底面よりも下方にせり出す量が少なくなる。したがって、カメラを机上等に置いた際の安定性を向上させることができる。
【００４０】
以上より本実施形態に係るレンズフードは、上記第１実施形態と同様の効果に加え、前述したカメラ本体２の安定性向上という効果も奏することができる。
なお、本実施形態は上述のようにカメラ本体２の下側に配置される遮光部のみを折り曲げ遮光部として構成しているが、例えば、全ての遮光部を折り曲げ遮光部として構成しても構わない。この場合、フードの開口を大きくすることができるため、従来の角窓型レンズフード等に比してフィルター操作等をより容易に行うことができる。
【００４１】
（第３実施形態）
以下、本発明の第３実施形態に係るレンズフード３００を備えた一眼レフカメラシステムを添付図面に基づいて説明する。
図５（ａ），（ｂ）はそれぞれ、本発明の第３実施形態に係るレンズフードの構成を示す断面図，正面図である。
【００４２】
図５に示すように、本実施形態に係るレンズフード３００は、上記第１実施形態における変形遮光部１１０にかえて、変形遮光部１１３を備えた構成である。
本実施形態において変形部１１４は、図５に示すようにストロボ２０側へ傾斜した短冊形状の１つの薄板部１１４ａからなり、当該薄板部１１４ａの環状部材１０６側近傍にはスリット形状の開口部１１４ｂが形成されている。
【００４３】
薄板部１１４ａは傾斜方向上にストロボ２０の発光部２１が位置するような傾斜角度で傾けて設けられている。さらに、開口部１１４ｂは上記第１実施形態における開口部１１１ｂに比して大きく形成されており、薄板部１１４ａは斯かる大きな開口部１１４ｂから不要光束が固定筒部４内へ侵入することを防ぐためにその傾斜方向長さが長く設けられている。
【００４４】
以上より本実施形態に係るレンズフード３００は、上記第１実施形態と同様の効果を奏することができる。また、上述のように変形遮光部１１３における変形部１１４の開口部１１４ｂを大きく設けることで、上記第１実施形態よりも薄板部の枚数を減らす構成としたことで、より良好にストロボ光のケラレを防止することができる。
【００４５】
以上の各実施形態によれば、超広角レンズや超広角ズームレンズに装着しストロボ撮影を行っても撮影画像に支障のないレンズフード、及びこのレンズフードを備えたカメラシステムを実現することができる。
【図面の簡単な説明】
【００４６】
【図１】第１実施形態に係るレンズフードを備えた一眼レフカメラシステムを示す断面図である。
【図２】（ａ）、（ｂ）はそれぞれ、第１実施形態に係るレンズフードの構成を示す断面図、正面図である。
【図３】第１実施形態に係るレンズフードの構成を示す外観図である。
【図４】（ａ）、（ｂ）はそれぞれ、第２実施形態に係るレンズフードの構成を示す断面図、正面図である。
【図５】（ａ）、（ｂ）はそれぞれ、第３実施形態に係るレンズフードの構成を示す断面図、正面図である。
【符号の説明】
【００４７】
１        一眼レフカメラシステム
２        カメラ本体
３        交換レンズ
２０      ストロボ
１００    レンズフード
１０１，１０２，１０３    遮光部
１１０,１１３    変形遮光部
１１１,１１４    変形部
１１１ａ,１１４ａ    薄板部
１１１ｂ,１１４ｂ    開口部
１０５    取付部
１０６    環状部材
ＡＸ      光軸
【図１】
2007163675.tif 000003
【図２】
2007163675.tif 000004
【図３】
2007163675.tif 000005
【図４】
2007163675.tif 000006
【図５】
2007163675.tif 000007